(57)【特許請求の範囲】
【請求項１】
地盤中に埋設されている既存杭の引抜き工法であって、
前記既存杭の外周地盤に該既存杭を取り囲む外周ケーシングを建て込む工程と、
前記外周ケーシングと前記既存杭との間の地盤に、先端部外周に引抜き用のワイヤーロープの端部が巻き付けられて輪部が形成された内周ケーシングを前記ワイヤーロープを伴って建て込む工程と、
前記ワイヤーロープの前記輪部を前記既存杭の先端部外周に預けるようにして巻き付けた後、前記内周ケーシングを引き抜く工程と、
前記ワイヤーロープを引き上げることにより前記既存杭を引き抜く工程と、
前記外周ケーシングの内部に、先端ヘッド部に拡縮可能な撹拌翼を備えたスパイラルオーガーを挿入し、前記先端ヘッド部を前記外周ケーシングの先端から突出させて前記撹拌翼を拡大させる工程と、
前記スパイラルオーガーを回転させるとともに、前記先端ヘッド部から固化材を注出しながら、前記スパイラルオーガー及び前記外周ケーシングを同時に引き上げる工程と
を備えたことを特徴とする既設杭の引抜き工法。
【発明の詳細な説明】
【技術分野】
【０００１】
この発明は、既存杭の引抜き工法に関する。
【背景技術】
【０００２】
近年、都市の再開発等により、地中に埋設されている既存杭を撤去する工事が増加している。既存杭の撤去工法としては、杭を破砕する破砕工法と、杭と地盤との摩擦を縁切りして杭を引き抜く引抜き工法とがある。
【０００３】
後者の引抜き工法の１つとして、既存杭の外周地盤に杭を取り囲むようにケーシングを建て込んで地盤と杭との摩擦を縁切りし、ケーシング先端部に巻き付けたワイヤーロープの輪部を既存杭に預けてケーシングを引き上げた後、ワイヤーロープを引き上げることにより既存杭を引き抜く工法（一般に「輪投げ工法」と称されている）が知られている（例えば特許文献１参照）。
【０００４】
しかしながら、従来の引抜き工法では、既存杭の引抜き後に杭孔に充填材を注入して埋め戻すものの、杭抜き跡周囲の孔が崩壊するので、既存杭の杭孔のみならず杭孔周辺地盤も強度低下する。また杭孔上部と下部の強度及び、既存杭孔と周辺地盤の強度が一定でないので、その後の新設杭の施工に関し、新設杭の杭芯がずれたり、杭の強度が安定しないなどの問題がある。
【先行技術文献】
【特許文献】
【０００５】
【特許文献１】特開２０１０−２５５３００号公報
【発明の概要】
【発明が解決しようとする課題】
【０００６】
この発明は上記のような技術的背景に基づいてなされたものであって、次の目的を達成するものである。
この発明の目的は、既存杭抜き跡周辺の地盤の崩壊を防止し、杭孔及び杭孔周囲の地盤の強度低下を防止すると共に、杭孔の上部から下部まで一定の強度を保ち、その後の新設杭の施工に悪影響を及ぼすことのない、既存杭の引抜き工法を提供することにある。
【課題を解決するための手段】
【０００７】
この発明は上記課題を達成するために、次のような手段を採用している。
すなわち、この発明は、地盤中に埋設されている既存杭の引抜き工法であって、
前記既存杭の外周地盤に該既存杭を取り囲む外周ケーシングを建て込む工程と、
前記外周ケーシングと前記既存杭との間の地盤に、先端部外周に引抜き用のワイヤーロープの端部が巻き付けられて輪部が形成された内周ケーシングを前記ワイヤーロープを伴って建て込む工程と、
前記ワイヤーロープの前記輪部を前記既存杭の先端部外周に預けるようにして巻き付けた後、前記内周ケーシングを引き抜く工程と、
前記ワイヤーロープを引き上げることにより前記既存杭を引き抜く工程と、
前記外周ケーシングの内部に、先端ヘッド部に拡縮可能な撹拌翼を備えたスパイラルオーガーを挿入し、前記先端ヘッド部を前記外周ケーシングの先端から突出させて前記撹拌翼を拡大させる工程と、
前記スパイラルオーガーを回転させるとともに、前記先端ヘッド部から固化材を注出しながら、前記スパイラルオーガー及び前記外周ケーシングを同時に引き上げる工程と
を備えたことを特徴とする既設杭の引抜き工法にある。
【発明の効果】
【０００８】
この発明工法によれば、既存杭抜き跡周辺の地盤の崩壊を防止することができ、杭孔及び杭孔周囲の地盤の強度低下を防止すると共に、杭孔の上部から下部まで一定の強度を保つことができ、その後の新設杭の施工に悪影響を及ぼすことがない。
また、この発明工法によれば、既存杭周囲の地盤は外周ケーシングによって保護されるので、既存杭の引抜きにより地盤が乱される範囲を最小限に抑えることができ、したがって固化材の注出による改良範囲も最小限に抑えることができる。
【図面の簡単な説明】
【０００９】
【図１】この発明の実施形態の手順を示す図である。
【図２】図１に引き続く手順を示す図である。
【図３】図２に引き続く手順を示す図である。
【発明を実施するための形態】
【００１０】
この発明の実施形態を図面を参照しながら以下に説明する。図１〜図３はこの発明の実施形態の手順を示す図である。
【００１１】
まず、図１（ａ）に示すように、既存杭１０の杭頭周囲の地盤を掘削して、杭頭を露出させ、掘削穴１１の周壁に崩壊防止のための表層ケーシング１２を設置する。次に、同図（ｂ）に示すように、既存杭１０の外周地盤に既存杭１０を取り囲む外周ケーシング１３を、掘削しながら建て込む。外周ケーシング１３は、同図（ｃ）に示すように、その先端が既存杭１０の先端よりも幾分か下方の深度に達するまで建て込まれる。
【００１２】
この外周ケーシング１３は、図示しない三点式杭打ち機のリーダーに搭載されて昇降する駆動装置に上端部が接続され、その駆動によって地盤を掘削し、建て込まれる。なお、地下水がある場合はケーシング１３内に注水し、地下水位とバランスを取りながら掘削する。
【００１３】
次に、同図（ｄ）に示すように、上記した三点式杭打ち機のリーダーに搭載されて昇降する駆動装置に内周ケーシング１４の上端部を接続する。この内周ケーシング１４は先端部外周に複数の刃１５を有している。これらの刃１５を利用して内周ケーシング１４の先端部外周には、引抜き用のワイヤーロープ１６の一方の端部が巻き付けられて輪部１６ａが形成されている。ワイヤーロープ１６の他方の端部側はリーダーのトップシーブに掛けられ、繰り出し可能となっている。
【００１４】
内周ケーシング１４を駆動装置にセットしたら、図２（ｅ）に示すように、駆動装置により内周ケーシング１４を既存杭１０と外周ケーシング１３との間に建て込む。このとき、内周ケーシング１４の地中への挿入に伴って、ワイヤーロープ１６も地中に引き込まれる。そして、内周ケーシング１４の先端が既存杭１０の先端部近くに達したら、同図（ｆ）に示すように、内周ケーシング１４に巻き付けたワイヤーロープ１６の輪部１６ａを既存杭１０の先端部外周に預けるようにして巻き付けた後、内周ケーシング１４を引き抜く。
【００１５】
次に、同図（ｇ）に示すように、ワイヤーロープ１６をクレーンの巻き上げロープ（図示しない）に連結し、ワイヤーロープ１６を引き上げることにより、既存杭１０を引き抜く。既存杭１０の引抜き作業中、杭頭部が施工基面より上方に突出したら、同図（ｈ）に示すように、杭頭部に新たなワイヤロープ１７を巻き付けて２本のワイヤーロープ１６、１７によって既存杭１０を引き抜く。この既存杭１０の引抜き時には、ボイリングのおそれがあるので、これを防ぐために外周ケーシング１３内に注水をする。
【００１６】
既存杭１０を引き抜く工程、すなわち図１（ｄ）〜図２（ｈ）に示した工程それ自体は上記したように輪投げ工法として周知の工法であり、その詳細は例えば特許文献１（特開２０１０−２５５３００号公報）に記載されている。
【００１７】
既存杭１０の引抜き完了後、図３（ｉ）に示すように、外周ケーシング１３にスパイラルオーガー１８を挿入する。このスパイラルオーガー１８の上端部は上記した三点式杭打ち機のリーダーに搭載されて昇降する駆動装置に連結されている。また、外周ケーシング１３も同じ三点式杭打ち機のリーダーに搭載されて昇降する別の駆動装置に連結される。
【００１８】
スパイラルオーガー１８の先端ヘッド１９には撹拌翼２０が設けられている。撹拌翼２０は先端ヘッド１９とともに外周ケーシング１３の先端から突出させられた後、先端ヘッド１９の逆転・正転によって図示のように拡大させられる。
【００１９】
そして、同図（ｊ）（ｋ）に示すように、スパイラルオーガー１８の回転によって撹拌翼２０を回転（正転）させるとともに、先端ヘッド１９からセメントミルク等の固化材を吐出しながら、スパイラルオーガー１８及び外周ケーシング１３の双方を同時に引き上げる。これにより、既存杭１０の抜き跡周囲の地盤は、固化材が注出されて強化された改良地盤２１となる。
【００２０】
スパイラルオーガー１８及び外周ケーシング１３の引抜き後、同図（ｌ）に示すように、表層ケーシング１２を引抜き撤去し、埋め戻し材２２で掘削穴１１を埋め戻し、改良整地を行う。
【００２１】
上記のような工法によれば、既存杭抜き跡周辺の地盤の崩壊を防止することができ、杭孔及び杭孔周囲の地盤の強度低下を防止すると共に、杭孔の上部から下部まで一定の強度を保つことができ、その後の新設杭の施工に悪影響を及ぼすことがない。
【００２２】
また、この発明工法によれば、既存杭周囲の地盤は外周ケーシングによって保護されるので、既存杭の引抜きにより地盤が乱される範囲を最小限に抑えることができ、したがって固化材の注出による改良範囲も最小限に抑えることができる。
【符号の説明】
【００２３】
１０：既存杭
１３：外周ケーシング
１４：内周ケーシング
１６：引抜き用ワイヤーロープ
１６ａ：輪部
１８：スパイラルオーガー
１９：先端ヘッド
２０：撹拌翼
２１：改良地盤
【要約】
【課題】既存杭抜き跡周辺の地盤の強度低下を防止した、既存杭の引抜き工法を提供する。
【解決手段】既存杭１０の外周地盤に外周ケーシング１３を建て込む工程と、外周ケーシング１３と既存杭１０との間に、先端部外周に引抜き用のワイヤーロープ１６の端部が巻き付けられて輪部１６ａが形成された内周ケーシング１４を建て込む工程と、ワイヤーロープ１６の輪部を既存杭１０の先端部外周に預けるようにして巻き付けた後、内周ケーシング１４を引き抜く工程と、ワイヤーロープ１６を引き上げることにより既存杭１０を引き抜く工程と、外周ケーシング１３の内部に、スパイラルオーガー１８を挿入し、先端ヘッド部１９を外周ケーシング１３の先端から突出させて撹拌翼２０を拡大させる工程と、スパイラルオーガー１８を回転させるとともに、先端ヘッド部１９から固化材を注出しながら、スパイラルオーガー１８及び外周ケーシング１３を引き上げる工程とを備える。
【選択図】図１【図１】
0006853990.tif 000002
【図２】
0006853990.tif 000003
【図３】
0006853990.tif 000004